(57)【要約】【課題】高音質の音声信号を伝送可能な再生装置を提供すること。【解決手段】本発明の再生装置は、第１のクロックを受付可能な第１のクロック受付部と、第１のクロックを受け付けて、その第１のクロックを逓倍することにより第２のクロックを生成するＰＬＬ部と、第２のクロックを受付可能な第２のクロック受付部と、映像データ及び／または音声データを受け付けるデータ受付部と、第２のクロック受付部で受け付けた第２のクロックを逓倍して伝送クロックとして出力する伝送クロック出力部と、第２のクロックと第１のクロックとの差分情報と、映像データ及び／または音声データとを伝送データとして出力するデータ出力部とを備える。【選択図】図３
2013026992.tif 000002
【特許請求の範囲】
【請求項１】
第１のクロックを受付可能な第１のクロック受付部と、
前記第１のクロックを受け付けて、その第１のクロックを逓倍することにより第２のクロックを生成するＰＬＬ部と、
第２のクロックを受付可能な第２のクロック受付部と、
映像データ及び／または音声データを受け付けるデータ受付部と、
前記第２のクロック受付部で受け付けた第２のクロックを逓倍して伝送クロックとして出力する伝送クロック出力部と、
前記第２のクロックと前記第１のクロックとの差分情報と、前記映像データ及び／または音声データとを伝送データとして出力するデータ出力部と、
を備えた、
再生装置。
【発明の詳細な説明】
【技術分野】
【０００１】
本発明は、再生装置に関し、特にＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）などの、映像、音声が多重化されたデジタルインターフェースを備えた機器の高音質化に関する。
【背景技術】
【０００２】
再生装置から出力装置へ伝送手段として、ＨＤＭＩがある。これは、１本で映像、音声、付加データを伝送できる特徴がある。
【０００３】
図７は、ＨＤＭＩを用いた従来のデータ送受信システムの一例である。図において、７０１は送信側機器、７０２は受信側機器、７０３はＨＤＭＩケーブルである。送信側機器７０１は、送信側映像クロック入力部７１０と、送信側音声クロック入力部７１１と、差分値（ＣＴＳ）生成部７１２と、多重化部７１３と、送信側機器制御部７１４を備える。差分値（ＣＴＳ）生成部７１２は、送信側音声クロック７０５を送信側機器制御部７１４から与えられる値Ｎで分周する１／Ｎ分周器７１５と、１／Ｎ分周器７１５の出力を送信側映像クロック７０４でカウントするカウンタ７１６を備える。また、受信側機器７０２は、音声クロック再生手段７２０と、受信側機器制御部７２１を備える。音声クロック再生手段７２０は、送信側機器７０１より受信した送信側映像クロック入力部７１０を、送信側機器７０１より受信した差分値信号（ＣＴＳ）で分周する分周器７２２と、位相比較器７２３、電圧制御発振器（ＶＣＯ）７２４、１／Ｎ分周器７２５で構成されるＰＬＬとを備える。
【０００４】
送信側機器７０１において、送信側映像クロック７０４は、差分値（ＣＴＳ）生成部７１２とＨＤＭＩケーブル７０３を介して受信側機器７０２へＰＣＬＫ１として伝送される。差分値（ＣＴＳ）生成部７１２は、送信側音声クロック７０５を１／Ｎ分周器７１５で１／Ｎの周波数に分周する。パラメータＮは、送信側機器制御部７１４から与えられる。カウンタ７１６は、１／Ｎ分周器７１５の出力である周波数１２８Ｆｓ／Ｎの周期を、送信側映像クロック７０４でカウントする。カウンタ７１６の出力は、ＨＤＭＩケーブル７０３を介して受信側機器７０２へ、ＣＴＳ１として伝送される。パラメータＮはＨＤＭＩケーブル７０３を介して受信側機器７０２へＮ１として伝送される。
【０００５】
受信側機器７０２では、ＨＤＭＩケーブル７０３を介して受信したＰＣＬＫ１、ＣＴＳ１、Ｎ１を基に、音声クロック再生手段７２０で受信側音声クロック７３０を再生する。即ち、分周器７２２により、ＰＣＬＫ１をＣＴＳ１で分周する。このＰＣＬＫ／ＣＴＳ１の周波数を、位相比較器７２３、電圧制御発振器（ＶＣＯ）７２４、１／Ｎ分周器７２５で構成されるＰＬＬでＮ倍に低倍する。これにより、１２８Ｆｓの受信側音声クロック７３０が再生される。
【先行技術文献】
【特許文献】
【０００６】
【特許文献１】特開２００８−１８７５８６号公報
【発明の概要】
【発明が解決しようとする課題】
【０００７】
受信側機器７０２において、送信側機器７０１から伝送されたＣＴＳ１が常に一定の値をとれば、音声クロック再生手段７２０で再生される受信側音声クロック７３０の精度は高くなる。しかしながら、送信側映像クロック７０４と送信側音声クロック７０５は、それぞれに時間的揺れ（クロックジッタ）を持っているため、ＣＴＳ１は一定の値にはならない。（図６参照）これは、受信側機器７０２で出力される音声の音質劣化の要因となる。
【０００８】
そこで、本発明は、上記の問題を解決すべく、ＨＤＭＩなどのデジタルインターフェースにおいても、音声を高音質に伝送可能な再生装置を提供することを目的とする。
【課題を解決するための手段】
【０００９】
本発明の再生装置は、第１のクロックを受付可能な第１のクロック受付部と、第１のクロックを受け付けて、その第１のクロックを逓倍することにより第２のクロックを生成するＰＬＬ部と、第２のクロックを受付可能な第２のクロック受付部と、映像データ及び／または音声データを受け付けるデータ受付部と、第２のクロック受付部で受け付けた第２のクロックを逓倍して伝送クロックとして出力する伝送クロック出力部と、第２のクロックと第１のクロックとの差分情報と、映像データ及び／または音声データとを伝送データとして出力するデータ出力部とを備える。
【発明の効果】
【００１０】
上記の構成によれば、映像、音声を多重化して伝送するデジタルインターフェース（ＨＤＭＩなど）において、音声を高音質に伝送可能な再生装置を提供できる。
【図面の簡単な説明】
【００１１】
【図１】実施の形態１にかかる再生装置と出力装置の接続構成図
【図２】実施の形態１にかかる再生装置の全体構成図
【図３】実施の形態１にかかる再生装置の信号処理部の構成図
【図４】実施の形態１にかかる再生装置の第１のＨＤＭＩ出力部の構成図
【図５】実施の形態１にかかる再生装置の第２のＨＤＭＩ出力部の構成図
【図６】従来技術におけるＣＴＳの時間的揺れを説明するための図
【図７】従来技術のデジタルインターフェースの送受信システム構成図
【発明を実施するための形態】
【００１２】
（実施の形態１）
［１．機器の接続構成］
図１に、再生装置と出力装置の接続構成を示す。
図１において、再生装置１０１は、ＤＶＤ／ＢＤ（ブルーレイディスク）プレーヤ、ＨＤＤレコーダ、セットトップボックスなどである。表示装置１０２は、デジタルテレビ、プロジェクタなどである。音声出力装置１０３は、ＡＶレシーバアンプ、ＡＶシアターシステム、デジタルテレビなどである。外部機器１０４は、ＤＶＤ／ＢＤレコーダ、ＨＤＤレコーダ、セットトップボックス、ビデオカメラ、パーソナルコンピュータ、ゲーム機器などである。受信装置１０５は、テレビアンテナなどである。また、再生装置１０１は、ＨＤＭＩケーブルなどのデジタルインターフェースケーブルにより、表示装置１０２、音声出力装置１０３へデータなどを伝送する。外部機器１０４は、イーサネット（登録商標）ケーブル、ＩＥＥＥ１３９４ケーブル、ＲＣＡケーブルなどにより、再生装置１０１へデータを伝送する。受信装置１０５は、アンテナ線などにより、再生装置１０１へデータを伝送する。
【００１３】
［２．再生装置の構成］
図２に、再生装置の全体構成を示す。
【００１４】
図２において、再生装置１０１は、外部機器１０４から出力されたアナログ信号を受信するアナログ信号受信部２０１と、外部機器１０４から出力されたＩＥＥＥ１３９４信号を受信するＩＥＥＥ１３９４受信部２０２と、外部機器１０４から出力されたＥｔｈｅｒｎｅｔ（登録商標）信号を受信するイーサネット（登録商標）受信部２０３と、受信装置１０５から出力されたアンテナ信号を受信するチューナ２０５と、ディスク２０６を再生するディスクドライブ部２０７と、信号処理部２０８と、第１のＨＤＭＩ出力部２０９と、第２のＨＤＭＩ出力部２１０と、マイコン２１１と、リモコン信号受信部２１２と、第１のクロック発生部２１３と、第２のクロック発生部２１４と、映像出力用ＰＬＬ２１５と、音声出力用ＰＬＬ２１６とを備える。アナログ信号受信部２０１、ＩＥＥＥ１３９４受信部２０２、イーサネット（登録商標）受信部２０３、チューナ２０５で受信した信号は、それぞれ信号処理部２０８へ入力される。ディスクドライブ部２０７で読み取られた信号は、信号処理部２０８へ入力される。
映像出力用ＰＬＬ２１５は、第２のクロック発生部２１４で生成された基準クロック１を基に映像クロックを生成し、信号処理部２０８へ入力する。音声出力用ＰＬＬ２１６は、第２のクロック発生部２１４で生成された基準クロック１を基に音声クロックを生成し、信号処理部２０８へ入力する。
【００１５】
第１のクロック発生部２１３は基準クロック２を生成し、信号処理部２０８へ入力する。信号処理部２０８は、各入力信号から、映像信号、音声信号を生成し、第１のＨＤＭＩ出力部２０９、第２のＨＤＭＩ出力部２１０へ出力する。リモコン信号受信部２１２は、ユーザーのリモコン操作による信号を受信し、マイコン２１１へ転送する。マイコン２１１は、リモコン信号受信部２１２からの信号などに基づき、アナログ信号受信部２０１、ＩＥＥＥ１３９４受信部２０２、イーサネット（登録商標）受信部２０３、チューナ２０５、ディスクドライブ部２０７、信号処理部２０８、第１のＨＤＭＩ出力部２０９、第２のＨＤＭＩ出力部２１０を制御する。
【００１６】
［３．再生装置の信号処理部の構成］
図３に、再生装置の信号処理部の構成を示す。
【００１７】
図３において、信号処理部２０８は、ストリーム制御部３０１と、映像デコーダ３０２と、音声デコーダ３０３と、映像出力部３０４と、音声出力部３０５と、ストリーム制御用ＰＬＬ３０６と、映像デコーダ用ＰＬＬ３０７と、音声デコーダ用ＰＬＬ３０８とを備える。ストリーム制御用ＰＬＬ３０６は、第１のクロック発生部２１３で生成された基準クロックを基にストリーム制御部３０１の動作クロックを生成し、ストリーム制御部３０１へ入力する。映像デコーダ用ＰＬＬ３０７は、第１のクロック発生部２１３で生成された基準クロックを基に映像デコーダ３０２用動作クロックを生成し、映像デコーダ３０２へ入力する。音声デコーダ用ＰＬＬ３０８は、第１のクロック発生部２１３で生成された基準クロックを基に音声デコーダ３０３用動作クロックを生成し、音声デコーダ３０３へ入力する。ストリーム制御部３０１は、ＩＥＥＥ１３９４受信部２０２、イーサネット（登録商標）受信部２０３、チューナ２０５、ディスクドライブ部２０７から入力されたストリームを、マイコン２１１からの制御に応じて選択する。さらにストリーム制御部３０１は、選択したストリームを、映像ストリームと音声ストリームに分離する。映像ストリームは映像デコーダ３０２へ入力し、音声ストリームは音声デコーダ３０３へ入力する。映像デコーダ３０２は、ストリーム制御部３０１から入力された映像ストリームを映像データに復号化し、映像出力部３０４へ出力する。音声デコーダ３０３は、ストリーム制御部３０１から入力された音声ストリームを音声データに複合化し、音声出力部３０５へ出力する。映像出力部３０４は、映像デコーダ３０２、もしくはアナログ信号受信部２０１から入力された映像データを、映像クロックに乗せて、第１のＨＤＭＩ出力部２０９、第２のＨＤＭＩ出力部２１０へ出力する。音声出力部３０５は、音声デコーダ３０３、もしくはアナログ信号受信部２０１から入力された音声データを、音声クロックに載せて、第１のＨＤＭＩ出力部２０９、第２のＨＤＭＩ出力部２１０へ出力する。
【００１８】
［４．再生装置のＨＤＭＩ出力部の構成］
図４に、再生装置の第１のＨＤＭＩ出力部の構成を示す。
【００１９】
図４において、第１のＨＤＭＩ出力部２０９は、差分値生成部４０１と、映像データパケット化部４０２と、音声データパケット部４０３と、多重化部４０４と、ＨＤＭＩ端子４０５と、送信側映像クロック入力部４０８と、送信側映像クロック入力部４０９と、送信側音声クロック入力部４１０と、送信側音声データ入力部４１１とを備える。差分値生成部４０１は、分周器４０６と１／Ｎ分周器４０７とを備える。１／Ｎ分周器４０７は、送信側音声クロック入力部４１０から入力された音声クロックを、マイコン２１１から与えられる値Ｎ２で分周する。分周器４０６は、１／Ｎ分周器４０７の出力を送信側映像クロック入力部４０８から入力された映像クロックでカウントし、ＣＴＳ２として出力する。ＣＴＳ２とパラメータＮ２は、多重化部４０４へ入力される。映像データパケット化部４０２は、送信側映像クロック入力部４０９から入力された映像信号をパケット化し、多重化部４０４へ入力する。音声データパケット部４０３は、送信側音声データ入力部４１１から入力された音声信号をパケット化し、多重化部４０４へ入力する。多重化部４０４は、ＣＴＳ２、パラメータＮ２、映像データパケット化部４０２の出力、音声データパケット部４０３の出力を多重化し、映像クロックに乗せて、ＨＤＭＩ端子４０５へ出力する。
【００２０】
図５に、再生装置の第２のＨＤＭＩ出力部の構成を示す。
【００２１】
図５において、第２のＨＤＭＩ出力部２１０は、差分値生成部５０１と、映像データパケット化部５０２と、音声データパケット部５０３と、多重化部５０４と、ＨＤＭＩ端子５０５と、ＰＬＬ５０８と、映像データ発生部５０９と、送信側音声クロック入力部５１０と、送信側音声データ入力部５１１とを備える。差分値生成部５０１は、分周器５０６と１／Ｎ分周器５０７とを備える。ＰＬＬ５０８は、送信側音声クロック入力部５１０から入力された音声クロックを基に、送信側映像クロック５１２を生成する。映像データ発生部５０９は、送信側映像クロック５１２から送信側映像データ５１３を生成する。１／Ｎ分周器５０７は、送信側音声クロック入力部５１０から入力された音声クロックを、マイコン２１１から与えられる値Ｎ３で分周する。分周器５０６は、１／Ｎ分周器５０７の出力をＰＬＬ５０８から出力された送信側映像クロック５１２でカウントし、ＣＴＳ３として出力する。ＣＴＳ３とパラメータＮ３は、多重化部５０４へ入力される。映像データパケット化部５０２は、映像データ発生部５０９で生成された送信側映像データ５１３をパケット化し、多重化部５０４へ入力する。音声データパケット部５０３は、送信側音声データ入力部５１１から入力された音声信号をパケット化し、多重化部５０４へ入力する。多重化部５０４は、ＣＴＳ３、パラメータＮ３、映像データパケット化部５０２の出力、音声データパケット部５０３の出力を多重化し、送信側映像クロック５１２に乗せて、ＨＤＭＩ端子５０５へ出力する。
【００２２】
（他の実施形態）
本発明の実施の形態として、実施の形態１を例示した。しかし、本発明はこれには限らない。そこで、本発明の他の実施の形態を以下にまとめて説明する。なお、本発明は、これらには限定されず、適宜修正された実施の形態に対しても適用可能である。
【００２３】
実施の形態１において、マイコン２１１により、各部を制御を行う構成としたが、これには限らない。例えば、リモコン信号受信用のマイコンと、その他の制御用のマイコンは別でも構わない。要するに、各部を制御できる手段を備えていれば良い。
【００２４】
また、実施の形態１において、基準クロック１を生成する第２のクロック発生部２１４と、基準クロック２を生成する第１のクロック発生部２１３と、基準クロックを２つ備えたが、これには限らない。例えば、これはひとつでも構わないし、３つでも構わない。要するに、各部を動作させるためのクロック生成手段を備えていれば良い。
【００２５】
また、実施の形態１において、第２のＨＤＭＩ出力部を音声専用としたが、これには限らない。例えば、ユーザー操作により、音声専用出力か、映像／音声出力を切替可能な構成としても良い。その実施の形態としては、映像クロックとして、映像クロックと送信側映像クロック５１２を切り替える仕組み、映像データとして、映像信号と送信側映像データ５１３を切り替える仕組みを備えるなどが考えられる。要するに、音声専用で利用できるＨＤＭＩ出力部を１つ以上備えていれば良い。
【００２６】
また、実施の形態１において、第１のＨＤＭＩ出力部と、第２のＨＤＭＩ出力部を備える構成としたが、これには限らない。例えば、第３のＨＤＭＩ出力部を備えても良い。要するに、１つ以上の映像／音声用のＨＤＭＩ出力と、１つ以上の音声専用にすることが可能なＨＤＭＩ出力を備えていれば良い。
【産業上の利用可能性】
【００２７】
本発明は、再生装置に関し、特にＨＤＭＩなどのデジタルインターフェースを備えた機器の高音質化に関するものである。そのため、本発明は、ＤＶＤ／ＢＤプレーヤ／レコーダ、ＨＤＤレコーダ、セットトップボックスなどに適用できる。
【符号の説明】
【００２８】
１０１    再生装置
１０２    表示装置
１０３    音声出力装置
１０４    外部機器
１０５    受信装置
２０１    アナログ信号受信部
２０２    ＩＥＥＥ１３９４受信部
２０３    イーサネット（登録商標）受信部
２０４    アンテナ
２０５    チューナ
２０６    ディスク
２０７    ディスクドライブ部
２０８    信号処理部
２０９    第１のＨＤＭＩ出力部
２１０    第２のＨＤＭＩ出力部
２１１    マイコン
２１２    リモコン信号受信部
２１３    第１のクロック発生部
２１４    第２のクロック発生部
２１５    映像出力用ＰＬＬ
２１６    音声出力用ＰＬＬ
３０１    ストリーム制御部
３０２    映像デコーダ
３０３    音声デコーダ
３０４    映像出力部
３０５    音声出力部
３０６    ストリーム制御用ＰＬＬ
３０７    映像デコーダ用ＰＬＬ
３０８    音声デコーダ用ＰＬＬ
４０１    差分値生成部
４０２    映像データパケット化部
４０３    音声データパケット部
４０４    多重化部
４０５    ＨＤＭＩ端子
４０６    分周器
４０７    １／Ｎ分周器
４０８    送信側映像クロック入力部
４０９    送信側映像データ入力部
４１０    送信側音声クロック入力部
４１１    送信側音声データ入力部
５０１    差分値生成部
５０２    映像データパケット化部
５０３    音声データパケット部
５０４    多重化部
５０５    ＨＤＭＩ端子
５０６    分周器
５０７    １／Ｎ分周器
５０８    ＰＬＬ
５０９    映像データ発生部
５１０    送信側音声クロック入力部
５１１    送信側音声データ入力部
５１２    送信側映像クロック
５１３    送信側映像データ
７０１    送信側機器
７０２    受信側機器
７０３    ＨＤＭＩケーブル
７０４    送信側映像クロック
７０５    送信側音声クロック
７１０    送信側映像クロック入力部
７１１    送信側音声クロック入力部
７１２    差分値（ＣＴＳ）生成部
７１３    多重化部
７１４    送信側機器制御部
７１５    １／Ｎ分周器
７１６    カウンタ
７２０    音声クロック再生手段
７２１    受信側機器制御部
７２２    分周器
７２３    位相比較器
７２４    電圧制御発振器（ＶＣＯ）
７２５    １／Ｎ分周器
７３０    受信側音声クロック
【図１】
2013026992.tif 000003
【図２】
2013026992.tif 000004
【図３】
2013026992.tif 000005
【図４】
2013026992.tif 000006
【図５】
2013026992.tif 000007
【図６】
2013026992.tif 000008
【図７】
2013026992.tif 000009